(57)【要約】【課題】複雑な設定を行うことなく、複数のプリンタの中から、いずれか１つのプリンタを選択して印刷を行うことができる。【解決手段】プリンタ５−１〜５−３ごとにプリンタ番号が読み取り可能に記録されたバーコード５０１が設けられている。携帯端末４−１〜４−３は、プリンタ５−１〜５−３に直接あるいは間接的に指示を出せる無縁通信機能と、プリンタ番号を読み取る読み取り機能とを備えている。サーバ１は、携帯端末４−１〜４−３がデータの入力を行った後にプリンタ番号を読み取った場合、該プリンタ番号で特定されるプリンタ５−１〜５−３に、データを印刷させるように制御する。【選択図】図１
2010262414.tif 000002
【特許請求の範囲】
【請求項１】
複数のプリンタのうち、いずれかのプリンタを選択して印刷を行う印刷システムにおいて、
前記プリンタごとに設けられたプリンタ番号が読み取り可能に記録された媒体と、
前記プリンタに直接あるいは間接的に指示を出せる無縁通信機能と、前記プリンタ番号を読み取る読み取り機能と、を備えた携帯端末と、
前記携帯端末がデータの入力を行った後に前記プリンタ番号を読み取った場合、該プリンタ番号で特定される前記プリンタに、前記データを印刷させるように制御する制御手段と、
を備えたことを特徴とする印刷システム。
【請求項２】
前記携帯端末は、予め印刷を行うプリンタを特定する前記プリンタ番号を記憶し、さらに、印刷開始の操作を受け付ける印刷開始キーを備え、
前記制御手段は、前記印刷開始キーが操作された場合、前記携帯端末が記憶したプリンタ番号で特定される前記プリンタに前記データを印刷させるように制御する
ことを特徴とする請求項１に記載の印刷システム。
【請求項３】
前記携帯端末は、顧客の買上データの入力を行い、
前記プリンタは、前記顧客の買上データに基づいて、前記顧客の買上代金精算に用いる印刷物を印刷する
ことを特徴とする請求項１または請求項２のいずれか１項に記載の印刷システム。
【発明の詳細な説明】
【技術分野】
【０００１】
本発明は、複数のプリンタの中からいずれか１つを選択して印刷を行う印刷システムに関する。
【背景技術】
【０００２】
複数のプリンタの中からいずれか１つを選択して印刷を行うシステムが知られている（例えば、特許文献１参照）。
【先行技術文献】
【特許文献】
【０００３】
【特許文献１】特開２００３−２６３２９２号公報
【発明の概要】
【発明が解決しようとする課題】
【０００４】
複数のプリンタを備えた印刷システムにおいて、ユーザが携帯端末でデータの入力を行い、入力したデータに基づいた印刷を指定したプリンタで行う場合、指定したプリンタが故障していると、ユーザは端末を操作して、コントロールパネルやプリンタの設定などの画面を順に開き、印刷を行うプリンタを再度設定する必要がある。
【０００５】
また、ユーザが通常使用しているプリンタとは異なるプリンタで印刷を行う場合においても、ユーザは端末を操作して、印刷を行うプリンタを再度設定する必要がある。このように、複数のプリンタの中から１つのプリンタを選択して印刷を行うには、複雑な設定を行う必要があるという問題があった。また、この設定の操作は面倒であり、また設定には時間がかかるため、印刷をすぐに行うことができないという問題があった。
【０００６】
本発明は上記の点に鑑みてなされたものであり、複雑な設定を行うことなく、複数のプリンタの中から、いずれか１つのプリンタを選択して印刷を行うことができる印刷システムを提供することを目的とする。
【課題を解決するための手段】
【０００７】
本発明は、複数のプリンタのうち、いずれかのプリンタを選択して印刷を行う印刷システムにおいて、前記プリンタごとに設けられたプリンタ番号が読み取り可能に記録された媒体と、前記プリンタに直接あるいは間接的に指示を出せる無縁通信機能と、前記プリンタ番号を読み取る読み取り機能と、を備えた携帯端末と、前記携帯端末がデータの入力を行った後に前記プリンタ番号を読み取った場合、該プリンタ番号で特定される前記プリンタに、前記データを印刷させるように制御する制御手段と、を備えたことを特徴とする印刷システムである。
【０００８】
これにより、プリンタごとに設けられたプリンタ番号を携帯端末で読み取ることで、読み取ったプリンタ番号で特定されるプリンタにデータを印刷させることができ、複数のプリンタから１つのプリンタを選択して印刷を行うことが容易となる。しかも、プリンタ番号を読み取るために印刷させるプリンタに接近することが、印刷物をプリンタまで取りに行くことに繋がるために実質的な作業負担はあまり増えない。さらに、携帯端末のデータ入力に用いる読み取り機能でプリンタ番号を読み取るため、携帯端末の構成を簡単にすることができ、また、安価に作成することができる。
【０００９】
また、本発明の印刷システムにおいて、前記携帯端末は、予め印刷を行うプリンタを特定する前記プリンタ番号を記憶し、さらに、印刷開始の操作を受け付ける印刷開始キーを備え、前記制御手段は、前記印刷開始キーが操作された場合、前記携帯端末が記憶したプリンタ番号で特定される前記プリンタに前記データを印刷させるように制御することを特徴とする。
【００１０】
これにより、通常使用するプリンタに問題が生じた際には容易に他のプリンタで印刷を行うことができる。
【００１１】
また、本発明の印刷システムにおいて、前記携帯端末は、顧客の買上データの入力を行い、前記プリンタは、前記顧客の買上データに基づいて、前記顧客の買上代金精算に用いる印刷物を印刷することを特徴とする。
【００１２】
これにより、印刷システムを顧客の買上代金精算に用いる場合に、印刷させるプリンタに問題が生じた場合でも、即座に他のプリンタで印刷することができ、しかもプリンタに設けられたプリンタ番号を読み取って印刷を行うために、携帯端末のデータと印刷物との不一致がなく、間違いの生じ難い精算を、顧客を待たせることなく行うことができる。
【発明の効果】
【００１３】
本発明によれば、複雑な設定を行うことなく、複数のプリンタの中から、いずれか１つのプリンタを選択して印刷を行うことができる。
【図面の簡単な説明】
【００１４】
【図１】本発明の一実施形態における印刷システムの構成を示した構成図である。
【図２】本実施形態における携帯端末の電気的構成を示すブロック図である。
【図３】本実施形態におけるプリンタの電気的構成を示すブロック図である。
【図４】本実施形態におけるプリンタが出力する買上伝票の概要を示した概要図である。
【図５】本実施形態における印刷システムの配置を示した配置図である。
【図６】本実施形態におけるショーケースの概要を示した概要図である。
【図７】本実施形態におけるトレイの概要を示した概要図である。
【図８】本実施形態における印刷指示データの概要を示した概要図である。
【図９】本実施形態における携帯端末の動作を示したフローチャートである。
【発明を実施するための形態】
【００１５】
以下、図面を参照しながら本発明の一実施形態について説明する。図１は本実施形態の印刷システムの構成を示した構成図である。図示する例では、印刷システムは、サーバ１と、ＰＯＳ（Ｐｏｉｎｔ  Ｏｆ  Ｓａｌｅｓ、販売時点情報管理）端末２と、無線通信装置３と、携帯端末４−１〜４−３（ＨＴ、ハンディターミナル）と、プリンタ５−１〜５−３とを備える。
【００１６】
サーバ１と、ＰＯＳ端末２と、無線通信装置３とは、ＬＡＮ（Ｌｏｃａｌ  Ａｒｅａ  Ｎｅｔｗｏｒｋ、構内通信網）を介して接続しており、互いに通信を行うことができる。
【００１７】
サーバ１は、商品情報などの各種情報を管理する装置であり、商品ファイル１１を記憶する。商品ファイル１１は、商品を一意に特定する商品コードと、品名と、単価とを関連付けて記憶する。また、端末４−１〜４−３から送信されたデータを印刷するプリンタ５−１〜５−３の制御を行う。
【００１８】
ＰＯＳ端末２は、スキャナ２１を備え、プリンタ５−１〜５−３が印刷する買上伝票に印刷されている二次元コードをスキャナ２１で読み取り復号することで、顧客が購入する商品を一意に特定する商品コードと、顧客が購入する商品の数とを取得し、商品ファイル１１が記憶する情報に基づいて買上合計額を算出して精算処理を行う。本実施形態では、買上伝票に印刷されている二次元コードは、顧客が購入する商品を一意に特定する商品コードと、顧客が購入する商品の数とを変換したコードである。
【００１９】
無線通信装置３は、携帯端末４−１〜４−３と無線通信を行い、データの送受信を行う。携帯端末４−１〜４−３は、店員が携帯する装置である。携帯端末４−１〜４−３は、スキャナ４７を備える。店員は、スキャナ４７にバーコードを読み取らせ、顧客が購入する商品の情報や、プリンタ番号などを携帯端末４−１〜４−３に入力する。また、携帯端末４−１〜４−３は、顧客が購入する商品を一意に特定する商品コードと、顧客が購入する商品の数とを二次元コードに変換する。また、携帯端末４−１〜４−３は、無線通信装置３と無線通信を行い、二次元コードを印刷するためのデータをサーバ１に送信する。
【００２０】
プリンタ５−１〜５−３は、無線通信装置３を介してサーバ１から送信された、二次元コードを印刷するためのデータに基づいた二次元コードを含んだ買上伝票を印刷する。また、プリンタ５−１〜５−３には、プリンタ番号が読み取り可能に記憶された媒体として、プリンタ番号を変換したバーコード５０１が設けられている。プリンタ番号は、プリンタ５−１〜５−３を一意に特定することが可能な番号である。
【００２１】
なお、無線通信装置３と携帯端末４−１〜４−３とは無線通信により互いにデータの送受信を行うことができる。また、無線通信装置３とプリンタ５−１〜５−３とは無線通信により互いにデータの送受信を行うことができる。この構成により、携帯端末４−１〜４−３とプリンタ５−１〜５−３とは、無線通信装置３を介してデータの送受信を行うことができる。
【００２２】
次に、携帯端末４−１〜４−３の構成について説明する。図２は、本実施形態における携帯端末４−１〜４−３の電気的構成を示すブロック図である。携帯端末４−１〜４−３は、ＣＰＵ４１（Ｃｅｎｔｒａｌ  Ｐｒｏｃｅｓｓｉｎｇ  Ｕｎｉｔ、中央演算処理装置）と、ＲＯＭ４２（Ｒｅａｄ  Ｏｎｌｙ  Ｍｅｍｏｒｙ、リードオンリーメモリ）と、ＲＡＭ４３（Ｒａｎｄｏｍ  Ａｃｃｅｓｓ  Ｍｅｍｏｒｙ、ランダムアクセスメモリ）と、表示部４４と、操作部４５と、通信部４６と、スキャナ４７とを備える。ＣＰＵ４１は、バスを介して携帯端末４−１〜４−３が備える各部と互いにデータの入出力が可能な状態で接続している。
【００２３】
ＣＰＵ４１は、ＲＯＭ４２が記憶する携帯端末制御プログラムとＲＡＭ４３が記憶する各種の情報を読み出し、読み出したプログラムに基づいて携帯端末４−１〜４−３が備える各部の制御を行う。また、ＣＰＵ４１は、必要な情報をＲＡＭ４３に記憶させる。ＲＯＭ４２は、ＣＰＵ４１の動作を制御する携帯端末制御プログラムを記憶する。
【００２４】
ＲＡＭ４３は、ＣＰＵ４１が用いる情報を記憶する一時記憶領域である。また、ＲＡＭ４３は、予め設定した印刷すべきプリンタ番号を記憶するエリアと、商品ファイルを記憶するエリアと、スキャナや操作部により入力された買上商品コードを記憶するエリアなどを備える。
【００２５】
表示部４４は、操作者に示す情報を表示する。操作部４５は、操作者からの入力を受け付ける。通信部４６は、他の装置と無線通信を行い、データの送受信を行う。スキャナ４７は、バーコードを読み取る。
【００２６】
なお、本実施形態の携帯端末４−１〜４−３は、無線通信機能とバーコードスキャナとを備えた、市販されている汎用の携帯端末であり、本発明で使用できるようにソフトウェアを付加した装置である。
【００２７】
次に、プリンタ５−１〜５−３の構成について説明する。図３は、本実施形態におけるプリンタ５−１〜５−３の電気的構成を示すブロック図である。プリンタ５−１〜５−３は、ＣＰＵ５１と、ＲＯＭ５２と、ＲＡＭ５３と、通信部５４と、印字機構制御部５５とを備える。ＣＰＵ５１は、バスを介してプリンタ５−１〜５−３が備える各部と互いにデータの入出力が可能な状態で接続している。
【００２８】
ＣＰＵ５１は、ＲＯＭ５２が記憶するプリンタ制御プログラムとＲＡＭ５３が記憶する各種の情報を読み出し、読み出したプログラムに基づいてプリンタ５−１〜５−３が備える各部の制御を行う。また、ＣＰＵ５１は、必要な情報をＲＡＭ５３に記憶させる。ＲＯＭ５２は、ＣＰＵ５１の動作を制御するプリンタ制御プログラムを記憶する。
【００２９】
ＲＡＭ５３は、ＣＰＵ５１が用いる情報を記憶する一時記憶領域である。また、ＲＡＭ５３は、自身のプリンタ番号を記憶している。
【００３０】
通信部５４は、無線通信装置３と無線通信を行い、データの送受信を行う。印字機構制御部５５、図示せぬ印字機構を制御し、買上伝票の印刷を行う。
【００３１】
なお、本実施形態のプリンタ５−１〜５−３は、無線通信機能を備えた、市販されている汎用のドットプリンタである。
【００３２】
次に、プリンタ５−１〜５−３が出力する買上伝票について説明する。図４は、本実施形態におけるプリンタ５−１〜５−３が出力する買上伝票を示した概要図である。図示する例では、タイトル４０１と、印刷日時４０２と、メッセージ４０３と、お買い物点数４０４と、二次元コード４０５とが買上伝票に印刷されている。
【００３３】
買上伝票に印刷される内容は、サーバ１から送信されたデータに基づいた内容である。タイトル４０１は、買上伝票のタイトルを示し、図示する例では「お会計データ」である。印刷日時４０２は、買上伝票を印刷した日時を示し、図示する例では「印刷日  ２００８年１１月１１日  １４時３０分５０秒」である。メッセージ４０３は、顧客に伝えるメッセージを示し、図示する例では「このレシートに基づいてお客様のお会計をさせて頂きます。従業員へご提示ください。」である。お買い物点数４０４は、顧客が購入する商品の数を示し、図示する例では「お買い物点数  １３点」である。二次元コード４０５は、顧客が購入する商品の情報を変換した二次元コードである。例えば、顧客が購入する商品の情報としては、顧客が購入する商品を一意に決定する商品コードと顧客が購入する商品の数である。
【００３４】
次に、印刷システムを用いる店舗における、印刷システムの配置について説明する。図５は、本実施形態における印刷システムの配置を示した配置図である。図示する例では、店舗の中央に、商品を並べたショーケース１０１が配置され、店舗の奥には作業台１０２が配置されている。
【００３５】
ショーケース１０１をはさんで、出入り口側に顧客ａ〜ｆが立っており、反対側（店舗の奥側）に店員Ａ〜Ｄが立っている。店員Ａは顧客ａの対応を行っている。また、店員Ｂは顧客ｂの対応を行っている。また、店員Ｃは顧客ｃの対応を行っている。また、店員Ｄは顧客ｄの対応を行っている。
【００３６】
また、店員Ａは、ハンディターミナル４−１を持っており、プリンタ５−１をベルトで腰に装着している。また、店員Ｂは、ハンディターミナル４−２を持っており、プリンタ５−２をベルトで腰に装着している。店員Ｃは、ハンディターミナル４−３を持っており、プリンタ５−３をベルトで腰に装着している。店員ＤはＰＯＳ端末２を操作する。
【００３７】
図６は、本実施形態におけるショーケース１０１の概要を示した概要図である。図示する例では、ショーケース１０１は２段構成となっており、上段には４つのトレイ１０１１〜１０１４が配置されている。また、下段には４つのトレイ１０１５〜１０１８が配置されている。
【００３８】
図７は、本実施形態におけるトレイ１０１１〜１０１８の概要を示した概要図である。トレイ１０１１〜１０１８には、品名７０１と、バーコード７０２と、単価７０３とが印字された札７００が付されている。図示する例では、品名はショートケーキであり、単価は３００円である。
【００３９】
次に、印刷システムを用いた精算処理の概要について説明する。店員Ａ〜Ｃは、顧客より注文を聞き、顧客が購入する商品が載せられたトレイ１０１１〜１０１８に付された札７００に印刷されたバーコード７０２を携帯端末４−１〜４−３のスキャナ４７で読み取る。携帯端末４−１〜４−３は、スキャナ４７で読み取ったバーコード７０２を復号して商品コードを取得し、取得した商品コードと、顧客が購入する商品の数とをＲＡＭ４３に記憶させる。
【００４０】
続いて、携帯端末４−１〜４−３は、ＲＡＭ４３に記憶した商品コードと顧客が購入する商品の数とを二次元コード４０５に変換し、この二次元コード４０５をプリンタ５−１〜５−３に印刷させるために、サーバ１に二次元コード４０５と、プリンタ５−１〜５−３を特定するプリンタ番号と、印刷開始コマンドとを送信する。サーバ１は、送信されたプリンタ番号で特定されるプリンタ５−１〜５−３に二次元コード４０５と印刷開始コマンドとを送信する。
【００４１】
二次元コード４０５と印刷開始コマンドとを受信したプリンタ５−１〜５−３は、二次元コード４０５を印刷した買上伝票を出力する。店員Ａ〜Ｃは、プリンタ５−１〜５−３が出力した買上伝票を顧客に渡す。携帯端末４−１〜４−３とプリンタ５−１〜５−３の動作の詳細については後述する。
【００４２】
また、店員Ａ〜Ｃは、顧客が買い上げる商品をトレイ１０１１〜１０１８から取り出し、包装して顧客に渡す。ここで店員Ａ〜Ｃは顧客への対応を終了する。
【００４３】
顧客は、買上商品の精算をするために、受け取った買上伝票をＰＯＳ端末２の操作を行う店員Ｄに渡す。なお、店員Ｄは精算処理を担当する。店員Ｄは、受け取った買上伝票に印刷されている二次元コード４０５をＰＯＳ端末２のスキャナ２１で読み取る。ＰＯＳ端末２は、二次元コード４０５を復号し、顧客が購入する商品を特定する商品コードと、顧客が購入する商品の数とを取得し、取得した情報とサーバ１の商品ファイルが記憶する情報とに基づいて精算処理を行う。
【００４４】
次に、携帯端末４−１〜４−３の詳細な動作について、図９に示したフローチャートを参照して説明する。図９は、本実施形態における携帯端末４−１〜４−３の動作を示したフローチャートである。
【００４５】
（ステップＳ１０１）店員Ａ〜Ｃは、顧客から注文を聞き、顧客が購入する商品が載せられたトレイ１０１１〜１０１８に付された札に印刷されたバーコードを、携帯端末４−１〜４−３のスキャナ４７で読み取る。携帯端末４−１〜４−３のＣＰＵ４１は、スキャナ４７が読み取ったバーコードを商品コードに復号する。その後、ステップＳ１０２に進む。
【００４６】
（ステップＳ１０２）携帯端末４−１〜４−３のＣＰＵ４１は、ステップＳ１０１で復号した商品コードをＲＡＭ４３に記憶させる。また、携帯端末４−１〜４−３のＣＰＵ４１は、ステップＳ１０１で復号した商品コードと関連する商品名と値段とを、サーバ１の商品ファイル１１から読み出し、読み出した商品名と値段とを表示部４４に表示させる。その後、ステップＳ１０３に進む。
【００４７】
（ステップＳ１０３）携帯端末４−１〜４−３のＣＰＵ４１は、操作部４５が備える印刷開始を指示するためのキー（印刷開始キー）が押下されたか否かを判定する。印刷開始を指示するためのキーが押下されたとＣＰＵ４１が判定した場合（Ｙｅｓの場合）はステップＳ１０５に進み、それ以外の場合（Ｎｏの場合）はステップＳ１０４に進む。
【００４８】
（ステップＳ１０４）店員Ａ〜Ｃは、買上伝票を印刷するプリンタ５−１〜５−３に付されているバーコード５０１を、端末４−１〜４−３のスキャナ４７で読み取る。携帯端末４−１〜４−３のＣＰＵ４１は、スキャナ４７がプリンタ番号を読み取ったか否かを判定する。スキャナ４７がプリンタ番号を読み取ったとＣＰＵ４１が判定した場合（Ｙｅｓの場合）はステップＳ１０６に進み、それ以外の場合（Ｎｏの場合）はステップＳ１０１に戻る。
【００４９】
（ステップＳ１０５）携帯端末４−１〜４−３のＣＰＵ４１は、ＲＡＭ４３が記憶しているプリンタ番号を読み出す。その後、ステップＳ１０６に進む。
【００５０】
（ステップＳ１０６）携帯端末４−１〜４−３のＣＰＵ４１は、ステップＳ１０２でＲＡＭ４３に記憶した商品コードと顧客が購入する商品の数とを二次元コード４０５に変換する。続いて、携帯端末４−１〜４−３のＣＰＵ４１は、ステップＳ１０４またはステップＳ１０５で取得したプリンタ番号と、印刷の開始を指示するための印刷開始コマンドと、二次元コード４０５などを含んだ買上伝票を印刷するためのデータである印刷データとを含んだ印刷指示データを、通信部４６を介してサーバ１に無線送信する。その後、ステップＳ１０７に進む。
【００５１】
なお、サーバ１は、予め、プリンタ５−１〜５−３に割り当てられているプリンタ番号を記憶しており、印刷指示データを受信した場合、印刷指示データに含まれるプリンタ番号で特定されるプリンタ５−１〜５−３に対して、印刷データと印刷開始コマンドとを送信する。プリンタ５−１〜５−３は、印刷データと印刷開始コマンドとを受信した場合、受信した印刷データに基づいて買上伝票を印刷し、印刷が完了した場合、印刷を完了したことを示す情報をサーバ１に送信する。印刷を完了したことを示す情報を受信したサーバ１は、携帯端末４−１〜４−３に対して、印刷が完了したことを示す情報を送信する。
【００５２】
図８は、ステップＳ１０６で携帯端末４−１〜４−３がサーバ１に送信する印刷指示データの構造を示した概要図である。図示する例では、携帯端末４−１〜４−３がサーバ１に送信する印刷指示データは、送信する順に、プリンタ番号を格納する領域８０１と、印刷開始コマンドを格納する領域８０２と、印刷データを格納する領域８０３とを含んでいる。
【００５３】
以下、図７の説明に戻る。
（ステップＳ１０７）携帯端末４−１〜４−３のＣＰＵ４１は、通信部４６を介して印刷が完了したことを示す情報を受信した場合（Ｙｅｓの場合）はステップＳ１０８に進み、それ以外の場合（Ｎｏの場合）はステップＳ１０３に戻る。なお、ステップＳ１０３に戻った場合、店員は他のプリンタを再度選択し、ステップＳ１０３以降の処理を携帯端末４−１〜４−３に実行させる。これにより、使用するプリンタが故障している場合においても、ステップＳ１０４で他のプリンタ５−１〜５−３に付されているバーコード５０１を端末４−１〜４−３のスキャナ４７で読み取ることで、容易に他のプリンタ５−１〜５−３を用いて買上伝票を印刷することができる。
【００５４】
（ステップＳ１０８）携帯端末４−１〜４−３のＣＰＵ４１は、ステップＳ１０１〜ステップＳ１０７でＲＡＭ４３に記憶させた情報を消去し、処理を終了する。
【００５５】
上述したとおり、本実施形態によれば、携帯端末４−１〜４−３は、複数のプリンタ５−１〜５−３のうち買上伝票を出力（印刷）するプリンタ５−１〜５−３に付されているバーコード５０１を読み取ってプリンタ番号に復号し、このプリンタ番号と印刷指示データとをサーバ１に送信する。サーバ１は、携帯端末４−１〜４−３から送信されたプリンタ番号で特定されるプリンタ５−１〜５−３に対して印刷データと印刷開始コマンドとを送信する。プリンタ５−１〜５−３は、印刷データと印刷開始コマンドとを受信した場合、受信した印刷データに基づいて買上伝票を印刷する。これにより、携帯端末４−１〜４−３は、容易に、複数のプリンタ５−１〜５−３のうち選択したプリンタ５−１〜５−３に買上伝票を出力させることができる。
【００５６】
なお、プリンタ番号のプリンタへの設け方や携帯端末の読み取り機能は、バーコードとバーコードスキャナに限らず、二次元コードや、３Ｄコードや、ＯＣＲ（Ｏｐｔｉｃａｌ  Ｃｈａｒａｃｔｅｒ  Ｒｅｃｏｇｎｉｔｉｏｎ、光学文字認識）や、ＲＦＩＤ（Ｒａｄｉｏ  Ｆｒｅｑｕｅｎｃｙ  Ｉｄｅｎｔｉｆｉｃａｔｉｏｎ）等と、それらの読み取り装置であってもよい。さらにプリンタ番号をタグに記録して、このタグをプリンタあるいはその近傍に設けてもよい。つまり、印刷データの基になるデータの読み取り装置で入力できるプリンタ番号であれば、どのような形態であってもよい。
【００５７】
また、携帯端末のデータ入力は、プリセットキーや品番のキー入力で行ってもよい。
また、携帯端末と各プリンタとの通信は、サーバを経由するものに限らず、送信先番号を含んだテキストを直接送信するものでもよい。
【００５８】
また、携帯端末から送信する印刷データは、印刷イメージデータでもよいし、又は、商品コードをサーバに送信し、サーバが送信された商品コードを変換して印刷イメージデータを作成してプリンタに送信してもよい。
【００５９】
また、携帯端末から送信する印刷指示データには印刷開始コマンドと印刷データとを含め、１つのデータとして送信したがこれに限らず、複数のデータとして送信してもよい。
【００６０】
また、本実施形態では買上伝票を印刷する例について説明したが、これに限らず、レシートや、領収書や、サービス券や、割引券や、整理券や、報告書や、連絡文書などを印刷してもよい。
【００６１】
以上、図面を参照して本発明の実施形態について詳しく説明してきたが、具体的な構成は上述のものに限られることはなく、この発明の要旨を逸脱しない範囲内において様々な設計変更等をすることが可能である。
【符号の説明】
【００６２】
１・・・サーバ、２・・・ＰＯＳ端末、３・・・無線通信装置、４−１〜４−３・・・携帯端末、５−１〜５−３・・・プリンタ、１１・・・会員ファイル、２１，４７・・・スキャナ、４１，５１・・・ＣＰＵ、４２，５２・・・ＲＯＭ、４３，５３・・・ＲＡＭ、４４，５４・・・表示部、４５・・・操作部、４６・・・通信部、５５・・・印字機構制御部、１０１・・・ショーケース、１０２・・・作業台、４０５・・・二次元コード、５０１，７０２・・・バーコード、７００・・・札、１０１１〜１０１８・・・トレイ
【図１】
2010262414.tif 000003
【図２】
2010262414.tif 000004
【図３】
2010262414.tif 000005
【図４】
2010262414.tif 000006
【図５】
2010262414.tif 000007
【図６】
2010262414.tif 000008
【図７】
2010262414.tif 000009
【図８】
2010262414.tif 000010
【図９】
2010262414.tif 000011